Podtech/llm-jp-corpus-v4-ja_patent huggingface dataset:
【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
改善されたスプレーノズルを備える空圧式低圧スプレー装置であって、
ａ）ノズルを有する２つもしくはそれ以上のカートリッジを受け入れるよう形成されたキャリッジと、前記カートリッジのノズルから液体成分を放出するため各カートリッジに操作可能に係合する２つ又はそれ以上のラムと、前記ラムを手動、空圧、液圧で、又は電気的に徐々に各カートリッジと操作可能に係合させるべく前進させるトリガ機構とを有するコーキングガンと、
ｂ）各カートリッジのノズルから液体成分を受け入れるために上流側端末に入口ポートを有し、前記混合液体成分を霧化ゾーン内へ導入するためにオプションとして取り外し可能なスプレー先端を下流側端末に有する静止ミキサと、
ｃ）上流側端末が前記コーキングガンのカートリッジと接続するよう寸法採りされ、圧縮エアを受け入れる入口ポートと、エアを霧化ゾーンへ導入する出口ポートとを下流側端末に有し、オプションとして取り外し可能なスプレー区域を備えている、前記静止ミキサを収納する静止ミキサシュラウドとを含み、
前記混合された液体成分が前記霧化ゾーン内に導入されるよう、前記スプレー先端が前記スプレー区域内のオリフィスを通過しているスプレー装置。
【請求項２】
前記スプレー先端が取り外し可能である、請求項１のスプレー装置。
【請求項３】
オプションである第２の液体成分が存在している、請求項１または請求項２のスプレー装置。
【請求項４】
前記スプレー区域が取り外し可能である、請求項１から請求項３のいずれか一のスプレー装置。
【請求項５】
前記シュラウドが、上流側端末及び下流側端末でねじ式に取り付け可能に構成されている、請求項１から請求項４のいずれか一のスプレー装置。
【請求項６】
前記静止ミキサが、先細りとなってスプレー先端を形成している、請求項１のスプレー装置。
【請求項７】
２成分混合物をスプレーする方法であって、
ａ）２つ以上のラムを備え、２つ以上のカートリッジを収納するコーキングガンのトリガ機構を動作させ、各カートリッジと操作可能に係合するようラムを徐々に前進させ、第１のカートリッジから第１の液体成分を放出させ、前記第１の液体成分と反応する第２の液体成分を第２のカートリッジから放出させて、オプションとして取り外し可能なスプレー端末を有している静止ミキサ内にこれらを導入し、
ｂ）前記静止ミキサ内で前記第１の成分と第２の成分とを混合し、
ｃ）前記混合液体成分を、前記静止ミキサの下流側端末にあるオプションとして取り外し可能なスプレー先端を通して前記静止ミキサから霧化ゾーン内に放出し、
ｄ）前記霧化ゾーン内にエアを導入し、
ｅ）前記霧化ゾーン内で前記混合液体成分を霧化し、
ｆ）前記霧化された液体成分を基板上にスプレーし、
ｇ）前記スプレー工程が中断する間、又はスプレー工程が完了した後、前記静止ミキサとオプションとして取り外し可能なスプレー先端とを廃却することを含む方法。
【請求項８】
前記第１の液体成分がポリイソシアネートを含み、前記第２の液体成分がポリオールを含む、請求項７の方法。
【請求項９】
前記第１の液体成分がポリイソシアネートを含み、前記第２の液体成分がポリアスパラギン酸塩を含む、請求項７の方法。
【手続補正書】
【提出日】平成17年6月22日(2005.6.22)
【手続補正１】
【補正対象書類名】特許請求の範囲
【補正対象項目名】全文
【補正方法】変更
【補正の内容】
【特許請求の範囲】
【請求項１】
体内の部位に医療器具を搬送するための搬送システムであって、
カテーテルと、同カテーテルは基端領域及び先端領域を有するカテーテルシャフトを有し、同カテーテルシャフトはプルワイヤルーメンを構成し、先端領域の少なくとも一部は医療器具収容領域を構成することと、
医療器具収容領域の周囲に配置された拡張可能な医療器具と、同拡張可能な医療器具は収縮した形状及び拡張した形状を有し、同拡張可能な医療器具は基端部及び先端部を更に有することと、
少なくとも１つの後退可能な保持ワイヤと、同後退可能な保持ワイヤの少なくとも一部は拡張可能な医療器具の少なくとも一部の周囲に巻回されて、拡張可能な医療器具を収縮した形状において保持し、同後退可能な保持ワイヤの１つの端部は少なくとも１つのプルワイヤにおいて終端処理され、同プルワイヤはプルワイヤルーメン内に延びてカテーテルシャフトの基端領域に達することとからなる搬送システム。
【請求項２】
前記少なくとも１つの後退可能な保持ワイヤは、１つ以上のリボン状をなす請求項１に記載の搬送システム。
【請求項３】
前記少なくとも１つの後退可能な保持ワイヤは、形状記憶材料から構成される請求項１に記載の搬送システム。
【請求項４】
前記少なくとも１つの後退可能な保持ワイヤは、ニチノール、アクリル酸塩系ポリマー、ポリウレタン系ポリマー、ポリノルボルネン系ポリマー、ポリラクチド系ポリマー、プラチナ、タングステン、チタン、ステンレス鋼、ニッケル及びこれらのいずれの組み合わせからなる一群の少なくとも１つの材料から構成される請求項１に記載の搬送システム。
【請求項５】
医療器具はステントである請求項１に記載の搬送システム。
【請求項６】
ステントは相互連結された複数のストラットを有し、前記少なくとも１つの後退可能な保持ワイヤは、ステントの選択されたストラットの周囲にねじ状をなすように巻回される請求項５に記載の搬送システム。
【請求項７】
医療器具収容領域は医療用バルーンを有し、同医療用バルーンと連通する膨張ルーメンを更に有する請求項１に記載の搬送システム。
【請求項８】
医療器具は膨張可能なバルーンである請求項７に記載の搬送システム。
【請求項９】
カテーテルシャフトは側壁を有し、同側壁は少なくとも１つのルーメンポートを構成し、前記少なくとも１つのプルワイヤは、前記少なくとも１つの後退可能な保持ワイヤの基端部から基端方向に延び、前記ルーメンポートを介してプルワイヤルーメン内に延びる請求項１に記載の搬送システム。
【請求項１０】
前記少なくとも１つの後退可能な保持ワイヤは、前記少なくとも１つのプルワイヤが後退すると、医療器具から巻回を解くように構成、且つ配置される請求項１に記載の搬送システム。
【手続補正書】
【提出日】平成17年8月2日(2005.8.2)
【手続補正１】
【補正対象書類名】特許請求の範囲
【補正対象項目名】全文
【補正方法】変更
【補正の内容】
【特許請求の範囲】
【請求項１】
患者の心臓の周りに装着するように構成された心臓ハーネスであって、組み立てられて前記ハーネスを形成する複数の個々のモジュールを含む、心臓ハーネス。
【請求項２】
前記モジュールの１つが、前記モジュールの別のものより伸展性がある、請求項１に記載の心臓ハーネス。
【請求項３】
少なくとも２つの隣接するモジュールが、互いから選択的に解放可能である、請求項１に記載の心臓ハーネス。
【請求項４】
少なくとも２つの隣接するモジュールが、ジップカップリングにより互いに接続される、請求項３に記載の心臓ハーネス。
【請求項５】
ジップカップリングが、ジッパを含む、請求項４に記載の心臓ハーネス。
【請求項６】
ジップカップリングが、細長い雌部材と選択的に係合される細長い雄部材を含む、請求項４に記載の心臓ハーネス。
【請求項７】
少なくとも一対の隣接するモジュールが、互いに永久的に取り付けられる、請求項１に記載の心臓ハーネス。
【請求項８】
少なくとも一対の隣接するモジュールが、シリコンにより接続される、請求項７に記載の心臓ハーネス。
【請求項９】
前記モジュールの少なくとも１つが、ばねヒンジを含む、請求項１に記載の心臓ハーネス。
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
基材表面から突出する複数のマイクロニードルであって、各々が、外面と該基材表面に近接したベースと該ベースから離れた先端とを有するテーパ形状を備えるマイクロニードルと、
前記複数のマイクロニードルの各々の前記外面に形成されるチャネルであって、各々が、該マイクロニードルの前記ベースから該マイクロニードルの前記先端に向かって延びるチャネルとを具備し、
前記チャネルが、前記マイクロニードルの前記先端に達することなく終端すること、
を特徴とするマイクロニードルアレイ装置。
【請求項２】
皮膚衝撃部位にマイクロニードルアレイを到達させる方法において、
表面から突出する複数のマイクロニードルを備えるマイクロニードルアレイを、到達部位に近接して位置決めすることと、
衝撃力を約１秒未満の時間にわたって前記マイクロニードルアレイに加えて、前記複数のマイクロニードルを前記皮膚衝撃部位で角質層に刺し通すことと、
を含む方法。
【請求項３】
表面から突出する複数のマイクロニードルを備えるマイクロニードルアレイと、
前記マイクロニードルアレイに作用的に接続される駆動体であって、蓄えたエネルギーを含む駆動体とを具備し、
前記蓄えたエネルギーの放出の結果として、衝撃力が前記マイクロニードルアレイに約１秒未満の時間にわたって加えられること、
を特徴とするマイクロニードルアレイ到達装置。
【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
第１および第２の成分を有する組織シーラントまたは接着剤を作製し供給するためのキットであって、
隔壁を備え、該第１の成分の少なくとも一部を収納する第１の容器と、
隔壁を備え、該第２の成分の少なくとも一部を収納する第２の容器と、
保護された場所に配置される第１および第２の穿孔器と、該第１および第２の容器を受容するように寸法および形状が決められた部分と、を備えた無菌ハウジングと、
長手軸を備え、該無菌ハウジングに取付可能であり、遠位端にブレードが取付けられる分配先端部と、
を備えるキット。
【請求項２】
前記分配先端部の前記長手軸に対して垂直な面における前記ブレードの断面が、Ｕ字型断面を備える、請求項１に記載のキット。
【請求項３】
前記分配先端部の前記長手方向軸に対して垂直な面において該分配先端部に近接する前記ブレードの断面が、Ｕ字型断面を備える、請求項１に記載のキット。
【請求項４】
前記ブレードが、前記分配先端部に近接する近位部と該分配先端部から遠位の末端部とを備え、さらに該ブレードの該末端部がほぼ平坦である、請求項１に記載のキット。
【請求項５】
前記分配先端部の前記長手方向軸に対して垂直な面における前記ブレードの前記近位部の断面が、Ｕ字型断面を備える、請求項４に記載のキット。
【請求項６】
前記ブレードが、スプーン形状を備える、請求項１に記載のキット。
【請求項７】
前記ブレードが、第１および第２の主表面を備え、さらに該第１の主表面が構造化面を備える、請求項１に記載のキット。
【請求項８】
前記ブレードが、エンボス加工される、請求項１に記載のキット。
【請求項９】
複数の分配先端部をさらに備える、請求項１に記載のキット。
【請求項１０】
前記複数の分配先端部のうちの少なくとも２つの分配先端部が、異なる形状を備えるブレードを備える、請求項９に記載のキット。
【手続補正２】
【補正対象書類名】明細書
【補正対象項目名】０１１６
【補正方法】変更
【補正の内容】
【０１１６】
【図１Ａ】本発明の好ましい実施形態の要素の側面図である。
【図１Ｂ】本発明の好ましい実施形態の要素の側面図である。
【図１Ｃ】本発明の好ましい実施形態の要素の側面図である。
【図１Ｄ】本発明の好ましい実施形態の要素の側面図である。
【図２】複式注射器本体の基部の側面図である。
【図３】図２の基部の底面図である。
【図４】図３の切断線４−４に沿った断面図である。
【図５】図３の切断線５−５に沿った断面図である。
【図６】複式ピストンの斜視図である。
【図７】図６の複式ピストンの側面図である。
【図８】マニホルドの側面図である。
【図９】図８のマニホルドの底面図である。
【図１０】図９の切断線１０−１０に沿った断面図である。
【図１１】本発明の代替実施形態の要素の分解斜視図である。
【図１２】図１１の組立てられた代替実施形態の正面断面図である。
【図１３】本発明のさらなる代替実施形態の要素の分解斜視図である。
【図１４】図１３の組立てられた代替実施形態の正面断面図である。
【図１５】図１３に示す要素を含むある種のキットである。
【図１６】本発明の一態様によるキットの下位サブアセンブリの平面図である。
【図１７】本発明の別の態様による図１６に示す下位サブアセンブリとともに使用する上位サブアセンブリの平面図である。
【図１８】本発明の一態様によるキットの使用におけるステップを示し、溶剤が装填されている注射器および針を示す。
【図１９】本発明の一態様によるキットの使用におけるステップを示し、第１の容器に溶剤を充填することにより、第１の容器内の組織接着剤および／またはシーラントの第１の成分を溶解するために使用される、装填された注射器（図１８に示す動作において溶剤が装填された後）を示す。
【図２０】本発明の一態様によるキットの使用におけるステップを示し、第１の容器内の組織接着剤および／またはシーラントの第１の成分の任意の追加の手作業による混合を示す。
【図２１】本発明の一態様によるキットの使用におけるステップを示し、組織接着剤および／またはシーラントディスペンサのハウジングに装填されている容器を示す。
【図２２】本発明の一態様によるキットの使用におけるステップを示し、ディスペンサの第１および第２の容器の開口端に収納される複式ピストンを示す。
【図２３】本発明の一態様によるキットの使用におけるステップを示し、ディスペンサプレアセンブリから空気を絞り出す任意のステップを示す。
【図２４】本発明の一態様によるキットの使用におけるステップを示し、ディスペンサのハウジングの表面を清掃する任意のステップを示す。
【図２５】本発明の一態様によるキットの使用におけるステップを示し、ディスペンサに取付けられている分配先端部を示す。
【図２６】本発明の一態様によるキットの使用におけるステップを示し、組織接着剤および／またはシーラント組成物を分配するために使用される組立てられたディスペンサを示す。
【図２７ａ】本発明による１つのアプリケータの斜視図である。
【図２７ｂ】本発明による別のアプリケータの斜視図である。
【図２８】本発明による別のキットの平面図である。
【図２９】本発明による別のキットの平面図である。
【図３０】本発明によるブレードを有する１つの分配先端部の斜視図である。
【図３１】本発明による別のキットの平面図である。
【図３２】本発明による別のキットの平面図である。
【図３３ａ】多成分組織シーラントおよび／または接着剤を作製するための本発明によるアプリケータの使用を示す。
【図３３ｂ】多成分組織シーラントおよび／または接着剤を作製するための本発明によるアプリケータの使用を示す。
【手続補正書】
【提出日】平成17年6月9日(2005.6.9)
【手続補正１】
【補正対象書類名】特許請求の範囲
【補正対象項目名】全文
【補正方法】変更
【補正の内容】
【特許請求の範囲】
【請求項１】
フレキシブルな環状部に固定され、Ｙピース止血弁の圧縮嵌合部内の密封結合部に嵌合される略硬質の環状部と、
使用の際に、エクステンションピース内に導かれたカテーテルを固定するための前記エクステンションピース内の密封部材と、
を備えたことを特徴とするガイドカテーテルエクステンションピース。
【請求項２】
直径が１ｍｍ〜１５ｍｍ、好ましくは２ｍｍ〜１０ｍｍ、より好ましくは３ｍｍ〜７ｍｍの範囲にあることを特徴とする請求項１に記載のガイドカテーテルエクステンションピース。
【請求項３】
長さが０．１ｍ〜１ｍ、好ましくは０．１５ｍ〜０．５ｍの範囲にあることを特徴とする請求項１又は２のいずれか一項に記載のガイドカテーテルエクステンションピース。
【請求項４】
前記長さに沿った複数の嵌合ポイントを備えたことを特徴とする請求項１から３のいずれか一項に記載のガイドカテーテルエクステンションピース。
【請求項５】
請求項１から４のいずれか一項に記載のガイドカテーテルエクステンションピースと血管カテーテルとの組み合わせ。
【請求項６】
血管カテーテルと、
圧縮嵌合部を有するＹピース止血弁に嵌合されるガイドカテーテルと、
カテーテル位置決め装置と、
フレキシブルな環状部に固定されＹピース止血弁の圧縮嵌合部内の密封結合部に嵌合される略硬質の環状部と、使用の際に、エクステンションピース内に導かれたカテーテルを固定するための前記エクステンションピース内の密封部材とを備えたガイドカテーテルエクステンションピースと、
を備え、
前記カテーテル位置決め装置は、前記血管カテーテルが後に前記ガイドカテーテルの移動なしで前記ガイドカテーテルに対して相対的に操作されることが可能なように、前記血管カテーテルの基部及び前記ガイドカテーテルエクステンションのフレキシブルな環状部と嵌合することができることを特徴とする血管カテーテル位置決めシステム。
【請求項７】
前記血管カテーテル位置決め装置は、
前記血管カテーテルの第１内腔を保持するための第１内腔マウントと、
前記ガイドカテーテルエクステンションピースを保持するための第２内腔マウントと、
駆動メカニズムと、
を備え、
前記第１内腔マウントは、前記第２内腔マウントに対して相対移動するために前記駆動メカニズムに選択的に接続可能であることを特徴とする請求項６に記載の血管カテーテル位置決めシステム。
【請求項８】
前記ガイドカテーテルエクステンションピースは、前記カテーテル位置決め装置と嵌合されることができる多くのポイントを有していることを特徴とする請求項７に記載の血管カテーテル位置決めシステム。
【請求項９】
前記ガイドカテーテルエクステンションの長さは、０．１ｍ〜１ｍ、好ましくは０．１５ｍ〜０．５ｍの範囲にあることを特徴とする請求項６から８のいずれか一項に記載の血管カテーテル位置決めシステム。
【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
ガイドと、
前記ガイドに沿って摺動するように構成された第１の部分と、尖った針先を内部に覆うことを容易にする針のための構造を備えた第２の部分とを有する摺動可能部材と、
を含むことを特徴とする、注射針のための安全装置。
【請求項２】
前記ガイドは、注射器の外筒の成形された一体部分であることを特徴とする請求項１に記載の安全装置。
【請求項３】
前記ガイドは、注射器の外筒に装着されることを特徴とする請求項１に記載の安全装置。
【請求項４】
前記ガイドは、近位端及び遠位端を有し、
前記近位端は、前記摺動可能部材が該近位端において前記ガイドから外れることを防ぐ末端ブロックと、該摺動可能部材の第１の部分を受ける斜角セグメントと、針先と係合する前の該摺動可能部材の一時的な配置を容易にする面取りセグメントとによって形成される、
ことを特徴とする請求項１から請求項３のいずれか１項に記載の安全装置。
【請求項５】
前記ガイドの前記遠位端は、使用時に前記摺動可能部材の前記第１の部分上の対応するセグメントに係合し、それによって該摺動可能部材を引き込み不能位置に固定する、遠位に整列した鋸歯のセグメントによって形成されることを特徴とする請求項１から請求項４のいずれか１項に記載の安全装置。
【請求項６】
前記摺動可能部材の前記第１の部分は、ブラケット及びシャフトから成ることを特徴とする請求項１から請求項５のいずれか１項に記載の安全装置。
【請求項７】
前記第１の部分の前記ブラケットは、前記ガイドの前記斜角セグメント上にスナップ・クリック式に留まるように構成されることを特徴とする請求項６に記載の安全装置。
【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
カラー(103,123)を画定する反対側の端部を有する可撓性及び伸長性を有する本体(102,122a)を有するスリーブ(102,122)と、
第１の端部を有し、前記本体(102,122a)内に緩く受容され、及び前記カラー(103,123)を通って延びる、カテーテル(72,112)と、
前記カラーを前記カテーテルに接続する接続手段と、
前記スリーブ(102,122)を取り囲む内縁を有する環状の可撓性を有するスカート(104,126)と
を含む、経皮アクセス器具であって、
接続手段(符号なし)が、前記カラー(103,123)を前記カテーテル(72,112)に永久的に接続し、前記スカート(104,126)が、前記スリーブ(102,122)の前記端部間の所定位置で該スリーブに固定されることを特徴とする、経皮アクセス器具。
【請求項２】
前記スリーブ(122)が、両方の端部で分岐して第１の分岐対(122b,122c)と第２の分岐対(122d,122e)とを形成し、該分岐の各端部がカラー(123)を有しており、前記カテーテル(112)が、各分岐対の一方の分岐(122b,122d)を通って延びると共に該分岐の各カラーに固定手段によって固定され、第２のカテーテル(114)が、各分岐対の他方の分岐(122c,122e)を通って延びると共に該分岐の端部のカラー(123)に前記固定手段によって固定されることを特徴とする、請求項１に記載の器具。
【請求項３】
前記分岐対の少なくとも一方が伸長可能なものであることを特徴とする、請求項２に記載の器具。
【請求項４】
前記スカート(104,126)の内縁全体が前記スリーブ(102,122)に接合されることを特徴とする、請求項１又は請求項２に記載の器具。
【請求項５】
前記スリーブ(102,122)が、蛇腹から構成されることを特徴とする、請求項１又は請求項２に記載の器具。
【請求項６】
前記スリーブ(102,122)が、薄肉の弾性チューブから構成されることを特徴とする、請求項１又は請求項２に記載の器具。
【請求項７】
前記スリーブ(102,132)が長さ方向に圧縮された状態に維持されるよう前記カラー(103,123)が前記カテーテルに接続されることを特徴とする、請求項１又は請求項２に記載の器具。
【請求項８】
前記カテーテルの前記第１の端部にコネクタ(74,116,118)が接続されることを特徴とする、請求項１又は請求項２に記載の器具。
【請求項９】
前記スリーブのうち前記分岐対の間に位置する部分だけが伸長性を有することを特徴とする、請求項１又は請求項２に記載の器具。
【請求項１０】
多孔質材料のベッド(符号なし)が前記スカート(104,126)を実質的に被覆することを特徴とする、請求項１又は請求項２に記載の器具。
【手続補正書】
【提出日】平成17年7月20日(2005.7.20)
【手続補正１】
【補正対象書類名】特許請求の範囲
【補正対象項目名】全文
【補正方法】変更
【補正の内容】
【特許請求の範囲】
【請求項１】
吸入器のマウスピースに直接接続される接続側部分と、吸入器のマウスピースに比べて寸法を小さくしたマウスピース側部分と、上記接続側部分とマウスピース側部分との間の移行部分とからなる吸入器用のマウスピースアダプタ。
【請求項２】
マウスピースアダプタを吸入器のマウスピースに固定するための取付け手段をさらに有する請求項１に記載のマウスピースアダプタ。
【請求項３】
取付け手段がクランプである請求項２に記載のマウスピースアダプタ。
【請求項４】
吸入器がドライパウダー吸入器である請求項１に記載のマウスピースアダプタ。
【請求項５】
吸入器が定量吸入器である請求項１に記載のマウスピースアダプタ。
【請求項６】
取付け手段が摩擦嵌め手段である請求項２に記載のマウスピースアダプタ。
【請求項７】
接続手段がじょうご形をしている請求項１に記載のマウスピースアダプタ。
【請求項８】
マウスピースの切断面が円形である請求項３に記載のマウスピースアダプタ。
【請求項９】
接続側部分の少なくとも一部が金属箔で被覆されている請求項１に記載のマウスピースアダプタ。
【請求項１０】
取付け手段がゴムバンドである請求項２に記載のマウスピースアダプタ。
【請求項１１】
移行部分が湾曲している請求項１に記載のマウスピースアダプタ。
【請求項１２】
移行部分の断面の一部が翼形をしている請求項１１に記載のマウスピースアダプタ。
【請求項１３】
流量センサをさらに有する請求項１〜１２のいずれか一項に記載のマウスピースアダプタ。
【請求項１４】
流量センサに接続された音声発生器をさらに有する請求項１３に記載のマウスピースアダプタ。
【請求項１５】
流量センサに接続された１つまたは複数のライトをさらに有する請求項１３に記載のマウスピースアダプタ。
【請求項１６】
吸気の流速を感知する流量センサと、その流量の情報を患者に伝えるフィードバック機構とを有する気道に薬剤を送るための吸入器。
【請求項１７】
患者へのフィードバック機構が音声、視覚または光による機構である請求項１６に記載の吸入器。
【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
心底の外部安定器としての使用に適切なデバイスであって、該デバイスは、上部縁部、下部縁部および中央部分を備えるストリップの構成の、生体適合性移植可能材料を備え；
ここで、該上部縁部の外側と該下部縁部の外側との間の距離が、２ｃｍと５ｃｍとの間であり；
該デバイスが、該心底への外部適用のために適合され、そして
該デバイスが、使用において：
該心底を完全に取り囲み；
該心臓の房室弁の範囲を定め；そして
所定サイズを超える該心底の寸法を減少させ、そして／またはその寸法の増加を防止する、
デバイス。
【請求項２】
請求項１に記載のデバイスであって、使用において、前記ストリップが、心臓周期の全ての相において、所定のサイズを超える心底の寸法を減少させ、そして／またはその寸法の増加を防止する、デバイス。
【請求項３】
請求項１または２に記載のデバイスであって、使用において、前記心底の周りで心外膜に配置される、デバイス。
【請求項４】
請求項３に記載のデバイスであって、使用において、房室溝に配置される、デバイス。
【請求項５】
請求項１〜４のいずれか一項に記載のデバイスであって、前記中央部分が、開口メッシュをさらに備える、デバイス。
【請求項６】
請求項５に記載のデバイスであって、前記開口メッシュが、その最長の軸に沿って測定した場合に、２ｍｍ〜２ｃｍの間の開口サイズをさらに備える、デバイス。
【請求項７】
請求項１〜６のいずれか一項に記載のデバイスであって、前記上部縁部および下部縁部が、金属をさらに含む、デバイス。
【請求項８】
請求項１〜７のいずれか一項に記載のデバイスであって、前記中央部分が、ポリエステルメッシュをさらに備える、デバイス。
【請求項９】
請求項１〜８のいずれか一項に記載のデバイスであって、取り付け手段をさらに備える、デバイス。
【請求項１０】
請求項１〜８のいずれか一項に記載のデバイスであって、取り付け部材をさらに備える、デバイス。
【請求項１１】
請求項１０に記載のデバイスであって、前記取り付け部材が、アイレットをさらに備える、デバイス。
【請求項１２】
心臓上のデバイスであって、該デバイスが、心底の外部安定器として役立ち、以下：
上部縁部、下部縁部および中央部分を備えるストリップの構成の、生体適合性移植可能材料、
を備え、
ここで、該上部縁部の外側と該下部縁部の外側との間の距離が、２ｃｍと５ｃｍとの間であり；
該デバイスが、該心底への外部適用のために適合され、そして
該デバイスが、使用において：
該心底を完全に取り囲み；
該心臓の房室弁の範囲を定め；そして
所定サイズを超える該心底の寸法を減少させ、そして／またはその寸法の増加を防止する、
デバイス。
【請求項１３】
請求項１２に記載の心臓上のデバイスであって、前記ストリップが、心臓周期の全ての相において、所定のサイズを超える心底の寸法を減少させ、そして／またはその寸法の増加を防止する、デバイス。
【請求項１４】
請求項１２または１３に記載の心臓上のデバイスであって、前記心底の周りで心外膜に配置される、デバイス。
【請求項１５】
請求項１４に記載の心臓上のデバイスであって、房室溝に配置される、デバイス。
【請求項１６】
請求項１２〜１５のいずれか一項に記載の心臓上のデバイスであって、前記中央部分が、開口メッシュをさらに備える、デバイス。
【請求項１７】
請求項１６に記載の心臓上のデバイスであって、前記開口メッシュが、その最長の軸に沿って測定した場合に、２ｍｍ〜２ｃｍの間の開口サイズをさらに備える、デバイス。
【請求項１８】
請求項１２〜１７のいずれか一項に記載の心臓上のデバイスであって、前記上部縁部および下部縁部が、金属をさらに含む、デバイス。
【請求項１９】
請求項１２〜１８のいずれか一項に記載の心臓上のデバイスであって、前記中央部分が、ポリエステルメッシュをさらに備える、デバイス。
【請求項２０】
請求項１２〜１９のいずれか一項に記載の心臓上のデバイスであって、取り付け手段をさらに備える、デバイス。
【請求項２１】
請求項１２〜１９のいずれか一項に記載の心臓上のデバイスであって、取り付け部材をさらに備える、デバイス。
【請求項２２】
請求項２１に記載のデバイスであって、前記取り付け部材が、アイレットをさらに備える、デバイス。
【請求項２３】
ヒトまたは動物の身体の処置方法において使用するための、請求項１〜１１のいずれか一項に記載のデバイス。
【請求項２４】
心底の弁の拡張の処置において使用するための、請求項１〜１１のいずれか一項に記載のデバイス。
【請求項２５】
僧帽弁および／または三尖弁の不全の処置において使用するための、請求項１〜１１のいずれか一項に記載のデバイス。
【請求項２６】
僧帽弁および三尖弁の逆流の処置において使用するための、請求項１〜１１のいずれか一項に記載のデバイス。
【請求項２７】
僧帽弁の逆流の処置において使用するための、請求項１〜１１のいずれか一項に記載のデバイス。
【請求項２８】
心底の進行性拡張の処置において使用するための、請求項１〜１１のいずれか一項に記載のデバイス。
【請求項２９】
さらなる心底の拡張または膨張を防止するための予防的使用のための、請求項１〜１１のいずれか一項に記載のデバイス。
【請求項３０】
拡張した心底のサイズを減少させるための処置において使用するための、請求項１〜１１のいずれか一項に記載のデバイス。
【請求項３１】
心底の弁の拡張の処置において使用するための、請求項１〜１１のいずれか一項に記載のデバイスの製造における生体適合性移植可能材料の使用。
【請求項３２】
僧帽弁および／または三尖弁の不全の処置において使用するための、請求項１〜１１のいずれか一項に記載のデバイスの製造における生体適合性移植可能材料の使用。
【請求項３３】
僧帽弁および三尖弁の逆流の処置において使用するための、請求項１〜１１のいずれか一項に記載のデバイスの製造における生体適合性移植可能材料の使用。
【請求項３４】
僧帽弁の逆流の処置において使用するための、請求項１〜１１のいずれか一項に記載のデバイスの製造における生体適合性移植可能材料の使用。
【請求項３５】
心底の進行性拡張の処置において使用するための、請求項１〜１１のいずれか一項に記載のデバイスの製造における生体適合性移植可能材料の使用。
【請求項３６】
さらなる心底の拡張または膨張を防止するための予防的使用のための、請求項１〜１１のいずれか一項に記載のデバイスの製造における生体適合性移植可能材料の使用。
【請求項３７】
拡張した心底のサイズを減少させるための処置において使用するための、請求項１〜１１のいずれか一項に記載のデバイスの製造における生体適合性移植可能材料の使用。
【手続補正書】
【提出日】平成17年8月16日(2005.8.16)
【手続補正１】
【補正対象書類名】特許請求の範囲
【補正対象項目名】全文
【補正方法】変更
【補正の内容】
【特許請求の範囲】
【請求項１】
装着者の耳に挿入される上端、管に取付けられる下端、および内径を有して長さ方向に延びる少なくとも１つの音通路を各々に備える少なくとも一対の細長いイヤーチューブと、
内部に溝穴を有する中空ステムを備えたアダプタを有する少なくとも１つのチェストピースと、
該少なくとも１つのチェストピースを該少なくとも一対のイヤーチューブに音響的に連通させる管と、
を具備する聴診器であって、
前記管が、該管の全長にわたって延びる別個の一対の通路を画定する壁を具備し、該壁が、前記少なくとも１つのチェストピースの前記中空ステムの前記溝穴に接続され、それにより該少なくとも１つのチェストピースと前記少なくとも一対のイヤーチューブの前記上端との間に延びる一対の気柱を形成すること、
を特徴とする聴診器。
【請求項２】
前記通路の各々が、空気に対して実質的に封止された接合部により、前記少なくとも一対のイヤーチューブの前記音通路のうちの１つに接続される、請求項１に記載の聴診器。
【請求項３】
前記一対の通路が、それらの長さの大部分で共通する構造を有して並んでいる、請求項１に記載の聴診器。
【請求項４】
前記一対の通路が、それらの長さに沿って前記チェストピースから前記イヤーチューブへ分岐する、請求項１に記載の聴診器。
【請求項５】
前記管が、単一のチェストピースに取付けられる、請求項１に記載の聴診器。
【請求項６】
前記イヤーチューブの前記内径が、その全長にわたって円形断面を有する、請求項１に記載の聴診器。
【請求項７】
前記イヤーチューブの前記上端に取付けられて、該イヤーチューブと前記装着者の前記耳との間にクッションを与える可撓性イヤーピースをさらに具備する、請求項１に記載の聴診器。
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
胸部組織の超音波画像化のための組成物であって、該組成物が、超音波造影剤を含有し、ここで、該超音波造影剤が、ヒト患者の胸部の特定の乳管の管内腔への注入のためのものであり、ここで、該超音波造影剤を使用する該超音波画像化が、該特定の乳管の診断を容易にすること、および画像化と同時に該特定の管に関与する外科的手順のガイドを容易にすることからなる群より選択される機能の少なくとも１つを実行する、組成物。
【請求項２】
請求項１に記載の組成物であって、該組成物は、前記管内腔への乳頭の開口部および管壁のうちの少なくとも１つを通じて管内腔へと注入するためのものである、組成物。
【請求項３】
請求項１〜２のいずれか一項に記載の組成物であって、該組成物は、超音波画像化の前または間の少なくとも一方のときに注入するためのものである、組成物。
【請求項４】
請求項１〜３のいずれか一項に記載の組成物であって、前記超音波造影剤は、音響的に検出可能なガスである、組成物。
【請求項５】
請求項４に記載の組成物であって、前記音響的に検出可能なガスは、ハロゲン化炭化水素である、組成物。
【請求項６】
請求項４に記載の組成物であって、前記音響的に検出可能なガスは、ハロゲン化アルカンガス、窒素、ヘリウム、アルゴンおよびキセノンからなる群より選択される、組成物。
【請求項７】
請求項６に記載の組成物であって、前記ハロゲン化アルカンガスは、飽和ペルフルオロカーボン、不飽和ペルフルオロカーボン、および環状ペルフルオロカーボンからなる群より選択される過フッ化炭化水素である、組成物。
【請求項８】
請求項４〜７のいずれか一項に記載の組成物であって、前記音響的に検出可能なガスは、液体溶液中に混合されている、組成物。
【請求項９】
システムであって、以下：
ヒト患者の胸部の超音波走査を実行するための手段；
該胸部の特定の乳管を同定するための手段；
超音波造影剤を該特定の乳管の管内腔内に注入するための手段；および
該注入後に該特定の乳管の超音波走査を実行して、該特定の乳管の診断を容易にすること、および画像化と同時に該特定の管に関与する外科的手順のガイドを容易にすることからなる群より選択される機能の少なくとも１つを実行するための手段、
を備える、システム。
【請求項１０】
胸部組織の超音波画像化において使用するためのキットであって、超音波造影剤および該超音波造影剤をヒト患者の胸部の特定の乳管の管内腔内に注入するための説明書を備え、該特定の乳管の超音波走査を実行して、該特定の乳管の診断を容易にすること、および画像化と同時に該特定の管に関与する外科的手順のガイドを容易にすることからなる群より選択される機能の少なくとも１つを実行するための指示書をさらに備える、キット。
【手続補正書】
【提出日】平成17年8月16日(2005.8.16)
【手続補正１】
【補正対象書類名】特許請求の範囲
【補正対象項目名】全文
【補正方法】変更
【補正の内容】
【特許請求の範囲】
【請求項１】
相互接続モジュールであって、
集積回路チップに取付けるための第１のコンタクトパッドを定めるチップ取付面と、
プリント配線板に取付けるための第２のコンタクトパッドを定める基板取付面と、
第１の導電層と、第２の導電層と、前記第１の導電層と前記第２の導電層との間に形成された第１の誘電体層とを有し、前記第１の導電層、前記第２の導電層、および前記第１の誘電体層が、ともに積層されている、キャパシタ構造と、
複数の前記第１のコンタクトパッドを前記第１の導電層に相互接続する、前記相互接続モジュール内に形成された導電経路とを含み、
前記第１のコンタクトパッド、前記導電経路、および前記キャパシタ構造が、約１．０ギガヘルツ以上の周波数で、約０．６０オーム以下の組合されたインピーダンスを発生するように、各導電層の厚さが、約１０から８０ミクロンであり、前記誘電体層が、厚さが約８ミクロン以下であり、誘電率が約１２以上であり、前記相互接続モジュールが、任意に、付加的な導電層および付加的な誘電体層、すなわち、
前記第１の導電層と前記チップ取付面との間に形成された第２の誘電体層と、
前記第２の誘電体層と前記チップ取付面との間に形成された第３の導電層と、
前記第２の導電層と前記基板取付面との間に形成された第３の誘電体層と、
前記第３の誘電体層と前記基板取付面との間に形成された第４の導電層とをさらに含む、相互接続モジュール。
【請求項２】
積層キャパシタ構造と、
前記キャパシタ構造の両側に対称的に配置された、交互の導電層および誘電体層とを含み、
各導電層が、同じタイプの金属箔を有し、各導電層の金属濃度がほぼ同じであり、
前記導電層および誘電体層を通って延在する、１以上のブラインドビアを含む相互接続モジュールであって、
前記ブラインドビアが、めっきされ、導電材料が充填されて、前記相互接続モジュールの積層キャパシタ構造と外側の導電層との間に導電経路を定め、
前記コンタクトパッド、前記導電経路、および前記キャパシタ構造が、約１．０ギガヘルツ以上の周波数で、約０．６０オーム以下の組合された電力分配インピーダンスを発生するように、各導電層の厚さが、約１０から８０ミクロンであり、前記誘電体層が、厚さが約８ミクロン以下であり、誘電率が約１２以上である、相互接続モジュール。
【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
検索方法、該検索方法は下記を具備する：
受信信号をスロットタイミングコードによって相関して、それと関連する１つ以上のパイロットとスロット境界とを位置決めする；
該パイロットの各々に対するコードリスト中の各々によって受信信号を相関して、各パイロットと関連する該パイロットコードと該フレームタイミングとを識別する。
【請求項２】
該到来するデータストリームをスロットタイミングコードによって相関する工程は、さらに、該受信信号を該スロットタイミングコードによって特定期間相関して、各スロット仮説に対応する受信エネルギーを算出することを備えている請求項１に記載の方法。
【請求項３】
さらに、該１つ以上の位置決めされたパイロットとして、最大受信エネルギーを有する１つ以上のスロット仮説を該選択することを備えている、請求項２に記載の方法。
【請求項４】
該該スロットコードは一次同期コード（ＰＳＣ）である、請求項２に記載の方法。
【請求項５】
コードリストは、基地局から受信された隣接リストである、請求項１に記載の方法。
【請求項６】
該受信信号を該コードリストによって相関する工程は、下記を具備する請求項１に記載の方法：
各パイロットごとにパイロットテストを実行する、該パイロットテストは、下記を具備する：
該コードリストのコードごとにコードテストを実行すること、該コードテストは下記
を具備する；
該パイロットに対応するスロットごとにスロットテストを実行する、該スロッ
トテストは、エネルギー値を生成するために、該スロットに対応するオフセッ
トでの期間にわたって該受信信号を該コードで相関することを具備する。
【誤訳訂正書】
【提出日】平成18年6月7日(2006.6.7)
【誤訳訂正１】
【訂正対象書類名】明細書
【訂正対象項目名】００９８
【訂正方法】変更
【訂正の内容】
【００９８】
システムインターフェイス2201は、どのような場合にもデータ転送に干渉せずに、バスを観察またはスニッフィング(sniffing：信号を傍受すること)するのみである、システムバス上の完全にパッシブなスレーブクライアントとして機能する。本発明のメディアストリームプロセッサの残りのコンポーネントは、システムに依存しない。一方、システムインターフェイス2201を、ハードワイヤドエレメントまたはプログラミングスイッチの使用により、特定のシステムに合わせるか、または、いくつかの異なるシステムに接続するように適合させてもよい。ユニークな（標準化されていない）システム、または、プロプリエタリ（proprietary：オープンされていない）システムの場合には、メモリバス上のハードウェアおよびプロトコルは、ほとんど例外なくユニバーサルに一様（uniform）であるという事実のために、このシステムインターフェイスを、上記に代えて、観察のためにメモリバス上に置くことができる。このシステムインターフェイスは、メディアプロセッサによるシステムバスの観察を可能とする接続を備えている。
【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
受信機／デコーダ用の装置であって、前記装置が、
受信機／デコーダの使用において１つまたは複数のプロセスによってサポートされている多重分離関数を記述する少なくとも１つの関数記述と、
前記１つまたは複数のプロセスにおいて使用するための前記関数記述または各関数記述に関して複数の値をロードする手段とを備え、
前記複数の値が、前記多重化信号の入力ソースのための識別子の集合であることを特徴とする装置。
【請求項２】
受信機／デコーダ内で多重分離プロセスを制御するための装置であって、前記装置が、１つの共通した期間で、少なくとも第１のデータストリームと第２のデータストリームを多重分離するために、１つの多重分離装置を制御するための信号を管理するための制御信号管理手段を備えることを特徴とする装置。
【手続補正書】
【提出日】平成17年7月21日(2005.7.21)
【手続補正１】
【補正対象書類名】明細書
【補正対象項目名】特許請求の範囲
【補正方法】変更
【補正の内容】
【特許請求の範囲】
【請求項１】  それぞれ縦軸に関して予め定められた実質的に横断する角度で取付けられている複数の放射素子の円筒形アレイ（20）と、
少なくとも実質的に縦軸を横断する高低角度軸に沿って電磁エネルギの送信または受信ビームを走査するために少なくとも２つの素子間に電位を与える回路（30）とを具備し、各素子は強誘電性のバルクな材料（25）で充填されてることを特徴とするアンテナ。
【請求項２】  縦軸に関して電磁エネルギの軸外れの送信または受信ビームを素子に発生させるように少なくとも幾つかの素子を励起するための第２の回路をさらに含んでいる請求項１記載のアンテナ。
【請求項３】  第２の回路は縦軸を中心に方位角でビームを走査させるために素子を励起する回路を含んでおり、方位角軸は縦軸と高低軸に少なくとも実質的に横断する請求項２記載のアンテナ。
【請求項４】  第２の回路はバトラマトリックス（70）を含んでいる請求項３記載のアンテナ。
【請求項５】  信号源（60）をさらに含んでいる請求項４記載のアンテナ。
【請求項６】  信号源（60）に接続されているパワー分割器（64）をさらに含んでいる請求項５記載のアンテナ。
【請求項７】  パワー分割器の出力とバトラマトリックスとの間に接続されている位相シフト素子（66）をさらに含んでいる請求項６記載のアンテナ。
【請求項８】  パワー分割器（64）の出力とバトラマトリックス（70）との間に接続されている可変位相シフタ（68）をさらに含んでいる請求項７記載のアンテナ。
【請求項９】  バトラマトリックスとアレイとの間に接続されているフィードネットワーク（80）をさらに含んでいる請求項５記載のアンテナ。
【請求項１０】  方位角および高低角方向で前記ビームを制御する制御装置（40）をさらに含んでいる請求項３記載のアンテナ。
【手続補正書】
【提出日】平成17年7月26日(2005.7.26)
【手続補正１】
【補正対象書類名】明細書
【補正対象項目名】特許請求の範囲
【補正方法】変更
【補正の内容】
【特許請求の範囲】
【請求項１】  複数のスロットを有する導電性プレートと、
前記導電性プレートに入射する電磁波に対して固定した角度で前記プレートを支持する機構と、
電磁波から吸収される熱を前記導電性プレートのエッジから除去する機構とを具備しており、
前記導電性プレートのスロットは、第１のレベルにおいて前記プレートの軸に関して第１の角度方位にあるときには前記プレート上に予め定められた角度で入射する電磁波を透過させ、第２のレベルにおいてスロットが前記プレートの軸に関して第２の角度方位にあるときには前記プレート上に予め定められた角度で入射する電磁波を反射させるように構成されており、
さらに、前記導電性プレートを前記第１の方位の角度から前記第２の方位の角度にその軸を中心にして回転させる装置を備えている可変パワー分割装置。
【請求項２】  前記スロットは周期的なアレイで配置されている請求項１記載の装置。
【請求項３】  前記スロットは長方形である請求項１項記載の装置。
【請求項４】  前記スロットは二等辺参角形のパターンで、次の関係式およびディメンションにしたがって前記プレート中に切込んで形成され、
（２λ／ｄx ）≧１＋ sinθ，  （λ／ｄy ）≧１＋ sinθ，および
（λ／ｄx ）2 ＋（λ／２ｄy ）2 ≧（１＋ sinθ）2 
ここで、ｄx はｘ軸に沿ったアレイの周期であり、
２ｄy はｙ軸に沿ったアレイの周期であり、
λは前記電磁波の波長であり、
θは入射角度である請求項１項記載の装置。
【請求項５】スロットの幅は６１ミルであり、スロットの高さは２０ミルであり、ｘ軸に沿ったアレイの周期は９０ミルであり、ｙ軸に沿ったアレイの周期は７０ミルであり、プレートの厚さは６ミルであり，αは約３７．８７５度である請求項４記載の装置。
【請求項６】  入射角度はプレートの表面に対して４５度である請求項５項記載の装置。
【請求項７】  前記電磁波の周波数は９５ＧＨｚである請求項６記載の装置。
【請求項８】  前記入射角度はプレートの表面に対して４５度である請求項１項記載の装置。
【請求項９】  前記電磁波の周波数は３０乃至３００ＧＨｚの範囲にある請求項１記載の装置。
【請求項１０】  前記電磁波により伝送されるパワーは１００ｋＷより大きい請求項１記載の装置。
【請求項１１】  前記プレートは円形である請求項１記載の装置。
【手続補正書】
【提出日】平成17年8月4日(2005.8.4)
【手続補正１】
【補正対象書類名】特許請求の範囲
【補正対象項目名】全文
【補正方法】変更
【補正の内容】
【特許請求の範囲】
【請求項１】
原発性不眠症に罹患した患者について、睡眠の回復性の質を治療および改善するための医薬であって、メラトニンおよびメラトニンアゴニストから選ばれる少なくとも一種を０．００２５〜５０ｍｇの範囲内の有効量で含み、かつ、少なくとも一種の医薬として許容可能な希釈剤、保存剤、抗酸化剤、可溶化剤、乳化剤、アジュバント（ adjuvant ）、または担体を含む前記医薬。
【請求項２】
以下の特徴：
（ｉ）前記医薬が、経口、直腸、非経口、頬経由、肺内（例えば、吸入による）、または経皮投与に対して適合されている；
（ｉｉ）前記医薬が単位投与量形態を有し、各単位投与量が前記少なくとも一種の化合物の所定量を含み、その量が０．０２５〜１０ｍｇの範囲内である；
（ｉｉｉ）前記医薬が持効性製剤である；
（ｉｖ）前記医薬が、あらかじめ選択した時間にわたって、メラトニンを体内でゆっくり放出する徐放性製剤形態である；および
（ｖ）前記医薬がさらに、抗不安薬、抗うつ薬、催眠薬、鎮静薬、高血圧治療薬、鎮痛薬、ドーパミン作動性アゴニスト、抗精神病薬、マイナートランキライザー、食欲低下薬、および抗炎症薬から選ばれる少なくとも一種の追加の医薬を含む、
のうちの少なくとも一つによってさらに特徴づけられる請求項１記載の医薬。
【請求項３】
前記持効性製剤が、アクリル樹脂を含む請求項２記載の医薬。
【請求項４】
前記医薬がさらに、抗不安薬、鎮静薬、ドーパミン作動性アゴニスト、抗精神病薬、マイナートランキライザー、および食欲低下薬から選ばれる少なくとも一種の追加の医薬を含む請求項１記載の医薬。
【請求項５】
以下の特徴：
（ｉ）前記医薬が、経口、直腸、非経口、頬経由、肺内（例えば、吸入による）、または経皮投与に対して適合されている；
（ｉｉ）前記医薬が単位投与量形態を有し、メラトニンおよびメラトニンアゴニストから選ばれる一種または一種以上の化合物の所定量を含み、各単位投与量が０．０２５〜１０ｍｇの範囲内である；
（ｉｉｉ）前記医薬が持効性製剤である；
（ｉｖ）前記医薬が、あらかじめ選択した時間にわたって、メラトニンを体内でゆっくり放出する徐放性製剤形態である；および
（ｖ）前記医薬がさらに、抗うつ薬、催眠薬、高血圧治療薬、鎮痛薬、および抗炎症薬から選ばれる一種または一種以上の追加の医薬を、治療上有効な量で含む、
のうちの一つまたは一つ以上によってさらに特徴づけられる請求項４記載の医薬。
【請求項６】
前記持効性製剤が、アクリル樹脂を含む請求項５記載の医薬。
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
粒子状の薬剤と、1個以上のフルオロカーボン噴射剤もしくは水素含有クロロフルオロカーボン噴射剤と、[(7,7,8,8,8-ペンタフルオロオクチル)オキシ]酢酸またはその塩もしくは溶媒和物とを含む、エアロゾル医薬製剤。
【請求項２】
[(7,7,8,8,8-ペンタフルオロオクチル)オキシ]酢酸が遊離酸として存在する、請求項１記載のエアロゾル医薬製剤。
【請求項３】
フルオロカーボン噴射剤が、1,1,1,2-テトラフルオロエタン、または1,1,1,2,3,3,3-ヘプタフルオロ-n-プロパン、またはそれらの混合物から選択される、請求項１または２記載のエアロゾル医薬製剤。
【請求項４】
噴射剤が1,1,1,2-テトラフルオロエタンである、請求項３に記載のエアロゾル医薬製剤。
【請求項５】
粒子状の薬剤が、アルブテロールもしくはその生理学的に許容される塩、フルチカゾンプロピオネートもしくはその生理学的に許容される溶媒和物、サルメテロールもしくはその生理学的に許容される塩から選択される、請求項１〜４のいずれか一項に記載のエアロゾル医薬製剤。
【請求項６】
更なる薬剤を含む、請求項1〜５のいずれか一項に記載のエアロゾル医薬製剤。
【請求項７】
サルメテロールもしくはその生理学的に許容される塩とフルチカゾンプロピオネートもしくはその生理学的に許容される溶媒和物とを組み合わせて含む、請求項６に記載のエアロゾル医薬製剤。
【請求項８】
[(7,7,8,8,8-ペンタフルオロオクチル)オキシ]酢酸またはその塩もしくは溶媒和物。
【請求項９】
定量噴霧式吸入器における使用に適合させたエアロゾル医薬懸濁剤における懸濁化剤としての、[(7,7,8,8,8-ペンタフルオロオクチル)オキシ]酢酸またはその塩もしくは溶媒和の使用。
【請求項１０】
6-(ペンタフルオロエチル)ヘキサン-1-オールとブロモ酢酸エチルとを反応させることを含む、[(7,7,8,8,8-ペンタフルオロオクチル)オキシ]酢酸の製造方法。